(57)【要約】【課題】本発明は、光学レンズの分野に関し、撮像光学レンズを提供する。【解決手段】撮像光学レンズは、物体側から像側に向かって、順に、第１レンズ、第２レンズ、第３レンズ、第４レンズ、第５レンズ、第６レンズ及び第７レンズを備え、前記第１レンズの材質がプラスチックで、前記第２レンズの材質がプラスチックで、前記第３レンズの材質がプラスチックで、前記第４レンズの材質がガラスで、前記第５レンズの材質がガラスで、前記第６レンズの材質がプラスチックで、前記第７レンズの材質がプラスチックであり、且つ、−１０≦ｆ１／ｆ≦−３．１、１．８≦ｆ６／ｆ７≦１０、１．７≦ｎ４≦２．２、１．７≦ｎ５≦２．２、−１０≦（Ｒ１＋Ｒ２）／（Ｒ１−Ｒ２）≦０．８の関係式を満たす。この撮像光学レンズによれば、高結像性能を得ると共に、低ＴＴＬにすることができる。【選択図】図１
2019109459.tif 000002
【特許請求の範囲】
【請求項１】
撮像光学レンズであって、
物体側から像側に向かって、順に、第１レンズ、第２レンズ、第３レンズ、第４レンズ、第５レンズ、第６レンズ及び第７レンズを備え、
前記撮像光学レンズの焦点距離をｆ、前記第１レンズの焦点距離をｆ１、前記第６レンズの焦点距離をｆ６、前記第７レンズの焦点距離をｆ７、前記第１レンズの物体側の面の曲率半径をＲ１、前記第１レンズの像側の面の曲率半径をＲ２、前記第４レンズの屈折率をｎ４、前記第５レンズの屈折率をｎ５にしたときに、以下の関係式を満たすことを特徴とする撮像光学レンズ。
−１０≦ｆ１／ｆ≦−３．１
１．８≦ｆ６／ｆ７≦１０
１．７≦ｎ４≦２．２
１．７≦ｎ５≦２．２
−１０≦（Ｒ１＋Ｒ２）／（Ｒ１−Ｒ２）≦０．８
【請求項２】
前記第１レンズの材質がプラスチックで、前記第２レンズの材質がプラスチックで、前記第３レンズの材質がプラスチックで、前記第４レンズの材質がガラスで、前記第５レンズの材質がガラスで、前記第６レンズの材質がプラスチックで、前記第７レンズの材質がプラスチックであることを特徴とする請求項１に記載の撮像光学レンズ。
【請求項３】
前記撮像光学レンズは以下の関係式を満たすことを特徴とする請求項１に記載の撮像光学レンズ。
−７．９９≦ｆ１／ｆ≦−３．２５１
１．８３≦ｆ６／ｆ７≦９．５
１．７６≦ｎ４≦２．１０
１．７１≦ｎ５≦２．０４
−９．５≦（Ｒ１＋Ｒ２）／（Ｒ１−Ｒ２）≦０．７
【請求項４】
前記第１レンズは、負の屈折力を有し、その物体側の面が近軸において凹面に形成され、
前記第１レンズの軸上厚みをｄ１にしたときに、０．１１≦ｄ１≦０．３５の関係式を満たすことを特徴とする請求項１に記載の撮像光学レンズ。
【請求項５】
前記撮像光学レンズは以下の関係式を満たすことを特徴とする請求項４に記載の撮像光学レンズ。
０．１８≦ｄ１≦０．２８
【請求項６】
前記第２レンズは、正の屈折力を有し、その物体側の面が近軸において凸面に形成され、像側の面が近軸において凸面に形成され、
前記撮像光学レンズの焦点距離をｆ、前記第２レンズの焦点距離をｆ２、前記第２レンズの物体側の面の曲率半径をＲ３、前記第２レンズの像側の面の曲率半径をＲ４、前記第２レンズの軸上厚みをｄ３にしたときに、以下の関係式を満たすことを特徴とする請求項１に記載の撮像光学レンズ。
０．４０≦ｆ２／ｆ≦１．３１
−１．６７≦（Ｒ３＋Ｒ４）／（Ｒ３−Ｒ４）≦−０．４７
０．２７≦ｄ３≦０．９７
【請求項７】
前記撮像光学レンズは以下の関係式を満たすことを特徴とする請求項６に記載の撮像光学レンズ。
０．６４≦ｆ２／ｆ≦１．０５
−１．０４≦（Ｒ３＋Ｒ４）／（Ｒ３−Ｒ４）≦−０．５９
０．４３≦ｄ３≦０．７７
【請求項８】
前記第３レンズは、負の屈折力を有し、その像側の面が近軸において凹面に形成され、
前記撮像光学レンズの焦点距離をｆ、前記第３レンズの焦点距離をｆ３、前記第３レンズの物体側の面の曲率半径をＲ５、前記第３レンズの像側の面の曲率半径をＲ６、前記第３レンズの軸上厚みをｄ５にしたときに、以下の関係式を満たすことを特徴とする請求項１に記載の撮像光学レンズ。
−５．０８≦ｆ３／ｆ≦−１．４５
−０．８８≦（Ｒ５＋Ｒ６）／（Ｒ５−Ｒ６）≦２．３７
０．１１≦ｄ５≦０．３３
【請求項９】
前記撮像光学レンズは以下の関係式を満たすことを特徴とする請求項８に記載の撮像光学レンズ。
−３．１８≦ｆ３／ｆ≦−１．８１
−０．５５≦（Ｒ５＋Ｒ６）／（Ｒ５−Ｒ６）≦１．９０
０．１７≦ｄ５≦０．２６
【請求項１０】
前記第４レンズは、負の屈折力を有し、その物体側の面が近軸において凹面に形成され、像側の面が近軸において凸面に形成され、
前記撮像光学レンズの焦点距離をｆ、前記第４レンズの焦点距離をｆ４、前記第４レンズの物体側の面の曲率半径をＲ７、前記第４レンズの像側の面の曲率半径をＲ８、前記第４レンズの軸上厚みをｄ７にしたときに、以下の関係式を満たすことを特徴とする請求項１に記載の撮像光学レンズ。
−４１．５２≦ｆ４／ｆ≦−３．３０
−１７．１０≦（Ｒ７＋Ｒ８）／（Ｒ７−Ｒ８）≦−０．８２
０．１３≦ｄ７≦０．６０
【請求項１１】
前記撮像光学レンズは以下の関係式を満たすことを特徴とする請求項１０に記載の撮像光学レンズ。
−２５．９５≦ｆ４／ｆ≦−４．１２
−１０．６８≦（Ｒ７＋Ｒ８）／（Ｒ７−Ｒ８）≦−１．０３
０．２２≦ｄ７≦０．４８
【請求項１２】
前記第５レンズは、正の屈折力を有し、その物体側の面が近軸において凹面に形成され、像側の面が近軸において凸面に形成され、
前記撮像光学レンズの焦点距離をｆ、前記第５レンズの焦点距離をｆ５、前記第５レンズの物体側の面の曲率半径をＲ９、前記第５レンズの像側の面の曲率半径をＲ１０、前記第５レンズの軸上厚みをｄ９にしたときに、以下の関係式を満たすことを特徴とする請求項１に記載の撮像光学レンズ。
０．２７≦ｆ５／ｆ≦１．０８
１．２２≦（Ｒ９＋Ｒ１０）／（Ｒ９−Ｒ１０）≦５．９４
０．２３≦ｄ９≦１．０１
【請求項１３】
前記撮像光学レンズは以下の関係式を満たすことを特徴とする請求項１２に記載の撮像光学レンズ。
０．４４≦ｆ５／ｆ≦０．８６
１．９５≦（Ｒ９＋Ｒ１０）／（Ｒ９−Ｒ１０）≦４．７６
０．３７≦ｄ９≦０．８１
【請求項１４】
前記第６レンズは、負の屈折力を有し、その物体側の面が近軸において凸面に形成され、像側の面が近軸において凹面に形成され、
前記撮像光学レンズの焦点距離をｆ、前記第６レンズの焦点距離をｆ６、前記第６レンズの物体側の面の曲率半径をＲ１１、前記第６レンズの像側の面の曲率半径をＲ１２、前記第６レンズの軸上厚みをｄ１１にしたときに、以下の関係式を満たすことを特徴とする請求項１に記載の撮像光学レンズ。
−１７．０４≦ｆ６／ｆ≦−１．２２
０．６５≦（Ｒ１１＋Ｒ１２）／（Ｒ１１−Ｒ１２）≦７．８０
０．１６≦ｄ１１≦０．９６
【請求項１５】
前記撮像光学レンズは以下の関係式を満たすことを特徴とする請求項１４に記載の撮像光学レンズ。
−１０．６５≦ｆ６／ｆ≦−１．５２
１．０４≦（Ｒ１１＋Ｒ１２）／（Ｒ１１−Ｒ１２）≦６．２４
０．２６≦ｄ１１≦０．７７
【請求項１６】
前記第７レンズは、負の屈折力を有し、その物体側の面が近軸において凸面に形成され、像側の面が近軸において凹面に形成され、
前記撮像光学レンズの焦点距離をｆ、前記第７レンズの焦点距離をｆ７、前記第７レンズの物体側の面の曲率半径をＲ１３、前記第７レンズの像側の面の曲率半径をＲ１４、前記第７レンズの軸上厚みをｄ１３にしたときに、以下の関係式を満たすことを特徴とする請求項１に記載の撮像光学レンズ。
１．２６≦（Ｒ１３＋Ｒ１４）／（Ｒ１３−Ｒ１４）≦４．７３
−１．９８≦ｆ７／ｆ≦−０．６３
０．１１≦ｄ１３≦０．５０
【請求項１７】
前記撮像光学レンズは以下の関係式を満たすことを特徴とする請求項１６に記載の撮像光学レンズ。
２．０１≦（Ｒ１３＋Ｒ１４）／（Ｒ１３−Ｒ１４）≦３．７８
−１．２４≦ｆ７／ｆ≦−０．７９
０．１８≦ｄ１３≦０．４０
【請求項１８】
前記撮像光学レンズの光学全長ＴＴＬが６．０６ｍｍ以下であることを特徴とする請求項１に記載の撮像光学レンズ。
【請求項１９】
前記撮像光学レンズの光学全長ＴＴＬが５．７８ｍｍ以下であることを特徴とする請求項１８に記載の撮像光学レンズ。
【請求項２０】
前記撮像光学レンズの絞りＦ値が２．２７以下であることを特徴とする請求項１に記載の撮像光学レンズ。
【請求項２１】
前記撮像光学レンズの絞りＦ値が２．２２以下であることを特徴とする請求項２０に記載の撮像光学レンズ。
【発明の詳細な説明】
【技術分野】
【０００１】
本発明は、光学レンズの分野に関し、特に、スマートフォン、デジタルカメラなどの携帯端末装置、モニター、ＰＣレンズなどの撮像装置に適用される撮像光学レンズに関する。
【背景技術】
【０００２】
近年、スマートフォンの登場に伴い、小型化の撮像レンズに対するニーズがますます高まっているが、撮像レンズの感光素子は、通常、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−ＯｘｉｄｅＳｅｍｉｃｏｎｄｃｔｏｒ  Ｓｅｎｓｏｒ、ＣＭＯＳ  Ｓｅｎｓｏｒ）の２種類程度しかなく、また、半導体製造工程技術の向上により、感光素子の画素サイズが縮小され、さらに、現在の電子製品は、優れた機能および軽量化・薄型化・小型化の外観への要求が高まっているので、良好な結像品質を有する小型化の撮像レンズは、現在の市場において既に主流となっており、優れた結像品質を得るために、携帯電話のカメラに搭載されるレンズは、３枚式又は４枚式のレンズ構造を用いることが多い。また、技術の進化及びユーザの多様化ニーズの増加に伴い、感光素子の画素面積が縮小しつつあり、システムが結像品質に対する要求が高くなってきているなか、５枚式、６枚式、７枚式のレンズ構造も徐々にレンズの設計に現れている。従って、優れた光学特性を有し、極薄で、色収差が十分に補正される広角の撮像レンズに対する要望が高まっている。
【発明の概要】
【発明が解決しようとする課題】
【０００３】
本発明は、上記問題点に鑑みてなされたものであり、高結像性能を得るとともに、極薄化及び広角化の要求を満たすことができる撮像光学レンズを提供することを目的とする。
【課題を解決するための手段】
【０００４】
上記問題を解決するために、本発明の実施形態は、撮像光学レンズを提供する。前記撮像光学レンズは、物体側から像側に向かって、順に、第１レンズ、第２レンズ、第３レンズ、第４レンズ、第５レンズ、第６レンズ及び第７レンズを備え、前記撮像光学レンズの焦点距離をｆ、前記第１レンズの焦点距離をｆ１、前記第６レンズの焦点距離をｆ６、前記第７レンズの焦点距離をｆ７、前記第１レンズの物体側の面の曲率半径をＲ１、前記第１レンズの像側の面の曲率半径をＲ２、前記第４レンズの屈折率をｎ４、前記第５レンズの屈折率をｎ５にしたときに、以下の関係式を満たす。
−１０≦ｆ１／ｆ≦−３．１
１．８≦ｆ６／ｆ７≦１０
１．７≦ｎ４≦２．２
１．７≦ｎ５≦２．２
−１０≦（Ｒ１＋Ｒ２）／（Ｒ１−Ｒ２）≦０．８
また、前記第１レンズの材質がプラスチックで、前記第２レンズの材質がプラスチックで、前記第３レンズの材質がプラスチックで、前記第４レンズの材質がガラスで、前記第５レンズの材質がガラスで、前記第６レンズの材質がプラスチックで、前記第７レンズの材質がプラスチックであることが好ましい。
【０００５】
従来技術に比べて、本発明の実施形態では、上記のレンズの配置に基づいて、焦点距離、屈折率、撮像光学レンズの光学全長、軸上厚み及び曲率半径のデータで特定の関係を有するレンズの結合により、撮像光学レンズの高結像性能を得ると共に、極薄化及び広角化の要求を満足させることができる。
【０００６】
また、前記撮像光学レンズは以下の関係式を満たすことが好ましい。
−７．９９≦ｆ１／ｆ≦−３．２５１
１．８３≦ｆ６／ｆ７≦９．５
１．７６≦ｎ４≦２．１０
１．７１≦ｎ５≦２．０４
−９．５≦（Ｒ１＋Ｒ２）／（Ｒ１−Ｒ２）≦０．７
【０００７】
また、前記第１レンズは、負の屈折力を有し、その物体側の面が近軸において凹面に形成され、前記第１レンズの軸上厚みをｄ１にしたときに、０．１１≦ｄ１≦０．３５の関係式を満たすことが好ましい。
【０００８】
また、前記撮像光学レンズは以下の関係式を満たすことが好ましい。
０．１８≦ｄ１≦０．２８
【０００９】
また、前記第２レンズは、正の屈折力を有し、その物体側の面が近軸において凸面に形成され、像側の面が近軸において凸面に形成され、前記撮像光学レンズの焦点距離をｆ、前記第２レンズの焦点距離をｆ２、前記第２レンズの物体側の面の曲率半径をＲ３、前記第２レンズの像側の面の曲率半径をＲ４、前記第２レンズの軸上厚みをｄ３にしたときに、以下の関係式を満たすことが好ましい。
０．４０≦ｆ２／ｆ≦１．３１
−１．６７≦（Ｒ３＋Ｒ４）／（Ｒ３−Ｒ４）≦−０．４７
０．２７≦ｄ３≦０．９７
【００１０】
また、前記撮像光学レンズは以下の関係式を満たすことが好ましい。
０．６４≦ｆ２／ｆ≦１．０５
−１．０４≦（Ｒ３＋Ｒ４）／（Ｒ３−Ｒ４）≦−０．５９
０．４３≦ｄ３≦０．７７
【００１１】
また、前記第３レンズは、負の屈折力を有し、その像側の面が近軸において凹面に形成され、前記撮像光学レンズの焦点距離をｆ、前記第３レンズの焦点距離をｆ３、前記第３レンズの物体側の面の曲率半径をＲ５、前記第３レンズの像側の面の曲率半径をＲ６、前記第３レンズの軸上厚みをｄ５にしたときに、以下の関係式を満たすことが好ましい。
−５．０８≦ｆ３／ｆ≦−１．４５
−０．８８≦（Ｒ５＋Ｒ６）／（Ｒ５−Ｒ６）≦２．３７
０．１１≦ｄ５≦０．３３
【００１２】
また、前記撮像光学レンズは以下の関係式を満たすことが好ましい。
−３．１８≦ｆ３／ｆ≦−１．８１
−０．５５≦（Ｒ５＋Ｒ６）／（Ｒ５−Ｒ６）≦１．９０
０．１７≦ｄ５≦０．２６
【００１３】
また、前記第４レンズは、負の屈折力を有し、その物体側の面が近軸において凹面に形成され、像側の面が近軸において凸面に形成され、前記撮像光学レンズの焦点距離をｆ、前記第４レンズの焦点距離をｆ４、前記第４レンズの物体側の面の曲率半径をＲ７、前記第４レンズの像側の面の曲率半径をＲ８、前記第４レンズの軸上厚みをｄ７にしたときに、以下の関係式を満たすことが好ましい。
−４１．５２≦ｆ４／ｆ≦−３．３０
−１７．１０≦（Ｒ７＋Ｒ８）／（Ｒ７−Ｒ８）≦−０．８２
０．１３≦ｄ７≦０．６０
【００１４】
また、前記撮像光学レンズは以下の関係式を満たすことが好ましい。
−２５．９５≦ｆ４／ｆ≦−４．１２
−１０．６８≦（Ｒ７＋Ｒ８）／（Ｒ７−Ｒ８）≦−１．０３
０．２２≦ｄ７≦０．４８
【００１５】
また、前記第５レンズは、正の屈折力を有し、その物体側の面が近軸において凹面に形成され、像側の面が近軸において凸面に形成され、前記撮像光学レンズの焦点距離をｆ、前記第５レンズの焦点距離をｆ５、前記第５レンズの物体側の面の曲率半径をＲ９、前記第５レンズの像側の面の曲率半径をＲ１０、前記第５レンズの軸上厚みをｄ９にしたときに、以下の関係式を満たすことが好ましい。
０．２７≦ｆ５／ｆ≦１．０８
１．２２≦（Ｒ９＋Ｒ１０）／（Ｒ９−Ｒ１０）≦５．９４
０．２３≦ｄ９≦１．０１
【００１６】
また、前記撮像光学レンズは以下の関係式を満たすことが好ましい。
０．４４≦ｆ５／ｆ≦０．８６
１．９５≦（Ｒ９＋Ｒ１０）／（Ｒ９−Ｒ１０）≦４．７６
０．３７≦ｄ９≦０．８１
【００１７】
また、前記第６レンズは、負の屈折力を有し、その物体側の面が近軸において凸面に形成され、像側の面が近軸において凹面に形成され、前記撮像光学レンズの焦点距離をｆ、前記第６レンズの焦点距離をｆ６、前記第６レンズの物体側の面の曲率半径をＲ１１、前記第６レンズの像側の面の曲率半径をＲ１２、前記第６レンズの軸上厚みをｄ１１にしたときに、以下の関係式を満たすことが好ましい。
−１７．０４≦ｆ６／ｆ≦−１．２２
０．６５≦（Ｒ１１＋Ｒ１２）／（Ｒ１１−Ｒ１２）≦７．８０
０．１６≦ｄ１１≦０．９６
【００１８】
また、前記撮像光学レンズは以下の関係式を満たすことが好ましい。
−１０．６５≦ｆ６／ｆ≦−１．５２
１．０４≦（Ｒ１１＋Ｒ１２）／（Ｒ１１−Ｒ１２）≦６．２４
０．２６≦ｄ１１≦０．７７
【００１９】
また、前記第７レンズは、負の屈折力を有し、その物体側の面が近軸において凸面に形成され、像側の面が近軸において凹面に形成され、前記撮像光学レンズの焦点距離をｆ、前記第７レンズの焦点距離をｆ７、前記第７レンズの物体側の面の曲率半径をＲ１３、前記第７レンズの像側の面の曲率半径をＲ１４、前記第７レンズの軸上厚みをｄ１３にしたときに、以下の関係式を満たすことが好ましい。
１．２６≦（Ｒ１３＋Ｒ１４）／（Ｒ１３−Ｒ１４）≦４．７３
−１．９８≦ｆ７／ｆ≦−０．６３
０．１１≦ｄ１３≦０．５０
【００２０】
また、前記撮像光学レンズは以下の関係式を満たすことが好ましい。
２．０１≦（Ｒ１３＋Ｒ１４）／（Ｒ１３−Ｒ１４）≦３．７８
−１．２４≦ｆ７／ｆ≦−０．７９
０．１８≦ｄ１３≦０．４０
【００２１】
また、前記撮像光学レンズの光学全長ＴＴＬが６．０６ｍｍ以下であることが好ましい。
【００２２】
また、前記撮像光学レンズの光学全長ＴＴＬが５．７８ｍｍ以下であることが好ましい。
【００２３】
また、前記撮像光学レンズの絞りＦ値が２．２７以下であることが好ましい。
【００２４】
また、前記撮像光学レンズの絞りＦ値が２．２２以下であることが好ましい。
【発明の効果】
【００２５】
本発明によれば、撮像光学レンズは、優れた光学特性を有し、極薄で広角であり、色収差が十分に補正される。本発明の撮像光学レンズは、特に高画素用のＣＣＤ、ＣＭＯＳなどの撮像素子から構成される携帯電話の撮像レンズ部品とＷＥＢ撮像レンズに適用することができる。
【図面の簡単な説明】
【００２６】
【図１】図１は、本発明の第１実施形態に係る撮像光学レンズの構造を示す図である。
【図２】図２は、図１に示す撮像光学レンズの球面収差を示す図である。
【図３】図３は、図１に示す撮像光学レンズの倍率色収差を示す図である。
【図４】図４は、図１に示す撮像光学レンズの像面湾曲及び歪曲収差を示す図である。
【図５】図５は、本発明の第２実施形態に係る撮像光学レンズの構造を示す図である。
【図６】図６は、図５に示す撮像光学レンズの球面収差を示す図である。
【図７】図７は、図５に示す撮像光学レンズの倍率色収差を示す図である。
【図８】図８は、図５に示す撮像光学レンズの像面湾曲及び歪曲収差を示す図である。
【図９】図９は、本発明の第３実施形態に係る撮像光学レンズの構造を示す図である。
【図１０】図１０は、図９に示す撮像光学レンズの球面収差を示す図である。
【図１１】図１１は、図９に示す撮像光学レンズの倍率色収差を示す図である。
【図１２】図１２は、図９に示す撮像光学レンズの像面湾曲および歪曲収差を示す図である。
【発明を実施するための形態】
【００２７】
本発明の目的、技術方案及び利点をより明確にするために、以下に、図面を参照しながら本発明の各実施形態を詳しく説明する。
ただ、本発明の各実施形態において、本発明に対する理解を便宜にするために、多くの技術的細部まで記載されているが、これらの技術的細部および以下の各実施形態に基づく各種の変化及び修正がなくても、本発明が保護しようとする技術方案を実現可能であることは、当業者にとっては自明なことである。
【００２８】
（第１実施形態）
図面を参照すれば分かるように、本発明は、撮像光学レンズ１０を提供する。図１には、本発明の第１実施形態の撮像光学レンズ１０を示しており、該撮像光学レンズ１０は、７枚のレンズを備えており、具体的には、前記撮像光学レンズ１０は、物体側から像側に向かって、順に、絞りＳ１、第１レンズＬ１、第２レンズＬ２、第３レンズＬ３、第４レンズＬ４、第５レンズＬ５、第６レンズＬ６及び第７レンズＬ７を備える。また、第７レンズＬ７と像面Ｓｉとの間には、光学フィルターＧＦなどの光学素子が設けられてもよい。
【００２９】
第１レンズＬ１の材質がプラスチックで、第２レンズＬ２の材質がプラスチックで、第３レンズＬ３の材質がプラスチックで、第４レンズＬ４の材質がガラスで、第５レンズＬ５の材質がガラスで、第６レンズＬ６の材質がプラスチックで、第７レンズＬ７の材質がプラスチックである。
【００３０】
ここで、撮像光学レンズ１０全体の焦点距離をｆ、前記第１レンズの焦点距離をｆ１にしたときに、−１０≦ｆ１／ｆ≦−３．１の関係式が設立され、第１レンズＬ１の負の屈折力が規定される。上限の規定値を超えると、レンズの極薄化には有利であるが、第１レンズＬ１の負の屈折力が強すぎてしまい、収差の補正が難しくなるなどの問題があるとともに、レンズの広角化も不利になる。これとは逆に、下限の規定値を超えると、第１レンズの負の屈折力が弱すぎてしまい、レンズの極薄化が難しくなる。また、−７．９９≦ｆ１／ｆ≦−３．２５１であることが好ましい。
【００３１】
前記第６レンズの焦点距離をｆ６、前記第７レンズの焦点距離をｆ７にしたときに、１．８≦ｆ６／ｆ７≦１０の関係式が設立され、第６レンズＬ６の焦点距離ｆ６と第７レンズＬ７の焦点距離ｆ７の比が規定される。これにより、撮像用光学レンズ群の感度を効率良く低減して、結像品質を更に向上させることができる。また、１．８３≦ｆ６／ｆ７≦９．５であることが好ましい。
【００３２】
また、前記第４レンズＬ４の屈折率をｎ４にしたときに、１．７≦ｎ４≦２．２の関係式が設立され、第４レンズＬ４の屈折率が規定される。この範囲に設定することで、レンズの極薄化に一層有利であると共に、収差の補正にも有利である。また、１．７６≦ｎ４≦２．１０であることが好ましい。
【００３３】
また、前記第５レンズの屈折率をｎ５にしたときに、１．７≦ｎ５≦２．２の関係式が設立され、第５レンズＬ５の屈折率が規定される。この範囲に設定することで、レンズの極薄化に一層有利であると共に、収差の補正にも有利である。また、１．７１≦ｎ５≦２．０４であることが好ましい。
【００３４】
前記第１レンズの物体側の面の曲率半径をＲ１、前記第１レンズの像側の面の曲率半径をＲ２にしたときに、−１０≦（Ｒ１＋Ｒ２）／（Ｒ１−Ｒ２）≦０．８の関係式が設立され、第１レンズＬ１の形状が規定される。上記の範囲以外であると、極薄・広角化が進むに従って、軸外画角の収差の補正が難しくなるなどの問題がある。また、−９．５≦（Ｒ１＋Ｒ２）／（Ｒ１−Ｒ２）≦０．７であることが好ましい。
【００３５】
本発明の前記撮像光学レンズ１０の焦点距離、各レンズの焦点距離、関連レンズの屈折率、撮像光学レンズの光学全長、軸上厚み及び曲率半径が上記の関係式を満たすことで、撮像光学レンズ１０の高性能、低ＴＴＬを実現することができる。
【００３６】
本実施形態において、第１レンズＬ１は、その物体側の面が近軸において凹面に形成され、負の屈折力を有する。
【００３７】
第１レンズＬ１の軸上厚みをｄ１にしたときに、０．１１≦ｄ１≦０．３５の関係式が設立され、極薄化の実現に有利である。また、０．１８≦ｄ１≦０．２８であることが好ましい。
【００３８】
また、本実施形態において、第２レンズＬ２は、その物体側の面が近軸において凸面に形成され、像側の面が近軸において凸面に形成され、正の屈折力を有する。
【００３９】
撮像光学レンズ１０全体の焦点距離をｆ、第２レンズＬ２の焦点距離をｆ２にしたときに、０．４０≦ｆ２／ｆ≦１．３１の関係式が設立され、第２レンズＬ２の正の屈折力を適切な範囲に制御することにより、負の屈折力を有する第１レンズＬ１により生じた球面収差とシステムの像面湾曲量とのバランスを適切且つ効率良く取ることができる。また、０．６４≦ｆ２／ｆ≦１．０５であることが好ましい。
【００４０】
また、第２レンズＬ２の物体側の面の曲率半径をＲ３、第２レンズＬ２の像側の面の曲率半径をＲ４にしたときに、−１．６７≦（Ｒ３＋Ｒ４）／（Ｒ３−Ｒ４）≦−０．４７の関係式が設立され、第２レンズＬ２の形状が規定される。上記の範囲以外であると、レンズの極薄・広角化が進むに従って、軸上色収差の補正が難しくなる問題がある。また、−１．０４≦（Ｒ３＋Ｒ４）／（Ｒ３−Ｒ４）≦−０．５９であることが好ましい。
【００４１】
また、第２レンズＬ２の軸上厚みをｄ３にしたときに、０．２７≦ｄ３≦０．９７の関係式が設立され、極薄化の実現に有利である。また、０．４３≦ｄ３≦０．７７であることが好ましい。
【００４２】
本実施形態において、第３レンズＬ３は、その像側の面が近軸において凹面に形成され、負の屈折力を有する。
【００４３】
撮像光学レンズ１０全体の焦点距離をｆ、第３レンズＬ３の焦点距離をｆ３にしたときに、−５．０８≦ｆ３／ｆ≦−１．４５の関係式が設立され、システムとして、優れた像面湾曲の均衡化能力を有し、結像品質を効率良く向上させることができる。また、−３．１８≦ｆ３／ｆ≦−１．８１であることが好ましい。
【００４４】
また、第３レンズＬ３の物体側の面の曲率半径をＲ５、第３レンズＬ３の像側の面の曲率半径をＲ６にしたときに、−０．８８≦（Ｒ５＋Ｒ６）／（Ｒ５−Ｒ６）≦２．３７の関係式が設立される。これにより、第３レンズＬ３の形状を効率的に制御することができて、第３レンズＬ３の成型に有利であると共に、第３レンズＬ３の表面の曲率が大きすぎることによる成型不良及び応力の生成を回避することができる。また、−０．５５≦（Ｒ５＋Ｒ６）／（Ｒ５−Ｒ６）≦１．９０であることが好ましい。
【００４５】
また、第３レンズＬ３の軸上厚みをｄ５にしたときに、０．１１≦ｄ５≦０．３３の関係式が設立され、極薄化の実現に有利である。また、０．１７≦ｄ５≦０．２６であることが好ましい。
【００４６】
本実施形態において、第４レンズＬ４は、その物体側の面が近軸において凹面に形成され、像側の面が近軸において凸面に形成され、負の屈折力を有する。
【００４７】
撮像光学レンズ１０全体の焦点距離をｆ、第４レンズＬ４の焦点距離をｆ４にしたときに、−４１．５２≦ｆ４／ｆ≦−３．３０の関係式が設立され、屈折力の配分を適切にすることにより、システムとして、優れた結像品質及び低い感度を有する。また、−２５．９５≦ｆ４／ｆ≦−４．１２であることが好ましい。
【００４８】
また、第４レンズＬ４の物体側の面の曲率半径をＲ７、第４レンズＬ４の像側の面の曲率半径をＲ８にしたときに、−１７．１０≦（Ｒ７＋Ｒ８）／（Ｒ７−Ｒ８）≦−０．８２の関係式が設立され、第４レンズＬ４の形状が規定される。上記の範囲以外であると、極薄・広角化が進むに従って、軸外画角の収差の補正が難しくなるなどの問題がある。また、−１０．６８≦（Ｒ７＋Ｒ８）／（Ｒ７−Ｒ８）≦−１．０３であることが好ましい。
【００４９】
また、第４レンズＬ４の軸上厚みをｄ７にしたときに、０．１３≦ｄ７≦０．６０の関係式が設立され、極薄化の実現に有利である。また、０．２２≦ｄ７≦０．４８であることが好ましい。
【００５０】
本実施形態において、第５レンズＬ５は、その物体側の面が近軸において凹面に形成され、像側の面が近軸において凸面に形成され、正の屈折力を有する。
【００５１】
撮像光学レンズ１０全体の焦点距離をｆ、第５レンズＬ５の焦点距離をｆ５にしたときに、０．２７≦ｆ５／ｆ≦１．０８の関係式が設立される。このように第５レンズＬ５に対して限定することにより、撮像レンズの光線角度を緩やかにして、公差感度を低減することができる。また、０．４４≦ｆ５／ｆ≦０．８６であることが好ましい。
【００５２】
また、第５レンズＬ５の物体側の面の曲率半径をＲ９、第５レンズＬ５の像側の面の曲率半径をＲ１０にしたときに、１．２２≦（Ｒ９＋Ｒ１０）／（Ｒ９−Ｒ１０）≦５．９４の関係式が設立され、第５レンズＬ５の形状が規定される。上記の範囲以外であると、極薄・広角化が進むに従って、軸外画角の収差の補正が難しくなるなどの問題がある。また、１．９５≦（Ｒ９＋Ｒ１０）／（Ｒ９−Ｒ１０）≦４．７６であることが好ましい。
【００５３】
また、第５レンズＬ５の軸上厚みをｄ９にしたときに、０．２３≦ｄ９≦１．０１の関係式が設立され、極薄化の実現に有利である。また、０．３７≦ｄ９≦０．８１であることが好ましい。
【００５４】
本実施形態において、第６レンズＬ６は、その物体側の面が近軸において凸面に形成され、像側の面が近軸において凹面に形成され、負の屈折力を有する。
【００５５】
撮像光学レンズ１０全体の焦点距離をｆ、第６レンズＬ６の焦点距離をｆ６にしたときに、−１７．０４≦ｆ６／ｆ≦−１．２２の関係式が設立され、屈折力の配分を適切にすることにより、システムとして、優れた結像品質及び低い感度を有する。また、−１０．６５≦ｆ６／ｆ≦−１．５２であることが好ましい。
【００５６】
また、第６レンズＬ６の物体側の面の曲率半径をＲ１１、第６レンズＬ６の像側の面の曲率半径をＲ１２にしたときに、０．６５≦（Ｒ１１＋Ｒ１２）／（Ｒ１１−Ｒ１２）≦７．８０の関係式が設立され、第６レンズＬ６の形状が規定される。上記の範囲以外であると、極薄・広角化が進むに従って、軸外画角の収差の補正が難しくなるなどの問題がある。また、１．０４≦（Ｒ１１＋Ｒ１２）／（Ｒ１１−Ｒ１２）≦６．２４であることが好ましい。
【００５７】
また、第６レンズＬ６の軸上厚みをｄ１１にしたときに、０．１６≦ｄ１１≦０．９６の関係式が設立され、極薄化の実現に有利である。また、０．２６≦ｄ１１≦０．７７であることが好ましい。
【００５８】
本実施形態において、第７レンズＬ７は、その物体側の面が近軸において凸面に形成され、像側の面が近軸において凹面に形成され、負の屈折力を有する。
【００５９】
撮像光学レンズ１０全体の焦点距離をｆ、第７レンズＬ７の焦点距離をｆ７にしたときに、−１．９８≦ｆ７／ｆ≦−０．６３の関係式が設立され、屈折力の配分を適切にすることにより、システムとして、優れた結像品質及び低い感度を有する。また、−１．２４≦ｆ７／ｆ≦−０．７９であることが好ましい。
【００６０】
また、前記第７レンズＬ７の物体側の面の曲率半径をＲ１３、前記第７レンズの像側の面の曲率半径をＲ１４にしたときに、１．２６≦（Ｒ１３＋Ｒ１４）／（Ｒ１３−Ｒ１４）≦４．７３の関係式が設立され、第７レンズＬ７の形状が規定される。上記の範囲以外であると、極薄・広角化が進むに従って、軸外画角の収差の補正が難しくなるなどの問題がある。また、２．０１≦（Ｒ１３＋Ｒ１４）／（Ｒ１３−Ｒ１４）≦３．７８であることが好ましい。
【００６１】
また、第７レンズＬ７の軸上厚みをｄ１３にしたときに、０．１１≦ｄ１３≦０．５０の関係式が設立され、極薄化の実現に有利である。また、０．１８≦ｄ１３≦０．４０であることが好ましい。
【００６２】
本実施形態において、撮像光学レンズ１０の光学全長ＴＴＬを６．０６ｍｍ以下にすることにより、極薄化の実現に有利である。また、撮像光学レンズ１０の光学全長ＴＴＬは、５．７８ｍｍ以下であることが好ましい。
【００６３】
本実施形態において、撮像光学レンズ１０の絞りＦ値は、２．２７以下である。絞りが大きいほど、結像性能が優れる。また、撮像光学レンズ１０の絞りＦ値は、２．２２以下であることが好ましい。
【００６４】
このようにすることで、撮像光学レンズ１０全体の光学全長ＴＴＬをできる限り短縮して、小型化の特性を維持することができる。
【００６５】
以下、実施例を用いて、本発明に係る撮像光学レンズ１０について説明する。各実施例に記載の符号は以下の通りであり、距離、半径及び中心厚の単位は、ｍｍである。
【００６６】
ＴＴＬ：光学全長（第１レンズＬ１の物体側の面から結像面までの軸上距離）
【００６７】
好ましくは、高品質な結像性能を得られるように、前記レンズの物体側の面及び／又は像側の面に、変曲点及び／又は停留点がさらに設けられていてもよい。具体的な実施方案については、後述する。
【００６８】
以下では、本発明の第１実施形態に係る撮像光学レンズ１０の設定データを示しており、焦点距離、距離、半径及び中心厚の単位はｍｍである。
【００６９】
表１、表２は、本発明の第１実施形態に係る撮像光学レンズ１０の設定データを示す。
【００７０】
【表１】
2019109459.tif 000003
【００７１】
ここで、各符号の意味は、以下の通りである。
Ｓ１    ：絞り
Ｒ      ：光学面の曲率半径、レンズの場合は中心曲率半径
Ｒ１    ：第１レンズＬ１の物体側の面の曲率半径
Ｒ２    ：第１レンズＬ１の像側の面の曲率半径
Ｒ３    ：第２レンズＬ２の物体側の面の曲率半径
Ｒ４    ：第２レンズＬ２の像側の面の曲率半径
Ｒ５    ：第３レンズＬ３の物体側の面の曲率半径
Ｒ６    ：第３レンズＬ３の像側の面の曲率半径
Ｒ７    ：第４レンズＬ４の物体側の面の曲率半径
Ｒ８    ：第４レンズＬ４の像側の面の曲率半径
Ｒ９    ：第５レンズＬ５の物体側の面の曲率半径
Ｒ１０  ：第５レンズＬ５の像側の面の曲率半径
Ｒ１１  ：第６レンズＬ６の物体側の面の曲率半径
Ｒ１２  ：第６レンズＬ６の像側の面の曲率半径
Ｒ１３  ：第７レンズＬ７の物体側の面の曲率半径
Ｒ１４  ：第７レンズＬ７の像側の面の曲率半径
Ｒ１５  ：光学フィルターＧＦの物体側の面の曲率半径
Ｒ１６  ：光学フィルターＧＦの像側の面の曲率半径
ｄ      ：レンズの軸上厚み、又は、レンズ間の軸上距離
ｄ０    ：絞りＳ１から第１レンズＬ１の物体側の面までの軸上距離
ｄ１    ：第１レンズＬ１の軸上厚み
ｄ２    ：第１レンズＬ１の像側の面から第２レンズＬ２の物体側の面までの軸上距離
ｄ３    ：第２レンズＬ２の軸上厚み
ｄ４    ：第２レンズＬ２の像側の面から第３レンズＬ３の物体側の面までの軸上距離
ｄ５    ：第３レンズＬ３の軸上厚み
ｄ６    ：第３レンズＬ３の像側の面から第４レンズＬ４の物体側の面までの軸上距離
ｄ７    ：第４レンズＬ４の軸上厚み
ｄ８    ：第４レンズＬ４の像側の面から第５レンズＬ５の物体側の面までの軸上距離
ｄ９    ：第５レンズＬ５の軸上厚み
ｄ１０  ：第５レンズＬ５の像側の面から第６レンズＬ６の物体側の面までの軸上距離
ｄ１１  ：第６レンズＬ６の軸上厚み
ｄ１２  ：第６レンズＬ６の像側の面から第７レンズＬ７の物体側の面までの軸上距離
ｄ１３  ：第７レンズＬ７の軸上厚み
ｄ１４  ：第７レンズＬ７の像側の面から光学フィルターＧＦの物体側の面までの軸上距離
ｄ１５  ：光学フィルターＧＦの軸上厚み
ｄ１６  ：光学フィルターＧＦの像側の面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄ７  ：第７レンズＬ７のｄ線の屈折率
ｎｄｇ  ：光学フィルターＧＦのｄ線の屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖ６    ：第６レンズＬ６のアッベ数
ｖ７    ：第７レンズＬ７のアッベ数
ｖｇ    ：光学フィルターＧＦのアッベ数
【００７２】
表２は、本発明の第１実施形態に係る撮像光学レンズ１０における各レンズの非球面のデータを示す。
【００７３】
【表２】
2019109459.tif 000004
【００７４】
ここで、ｋは円錐係数であり、Ａ４、Ａ６、Ａ８、Ａ１０、Ａ１２、Ａ１４、Ａ１６は非球面係数である。
ＩＨ：像高
ｙ＝（ｘ２／Ｒ）／［１＋｛１−（ｋ＋１）（ｘ２／Ｒ２）｝１／２］
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６        式（１）
【００７５】
各レンズ面の非球面は、便宜上、上記式（１）で表される非球面を使用しているが、本発明は、この式（１）の非球面多項式に限定されるものではない。
【００７６】
表３、表４は、本発明の第１実施形態に係る撮像光学レンズ１０における各レンズの変曲点及び停留点の設定データを示す。ここで、Ｒ１、Ｒ２は、それぞれ第１レンズＬ１の物体側の面と像側の面を示し、Ｒ３、Ｒ４は、それぞれ第２レンズＬ２の物体側の面と像側の面を示し、Ｒ５、Ｒ６は、それぞれ第３レンズＬ３の物体側の面と像側の面を示し、Ｒ７、Ｒ８は、それぞれ第４レンズＬ４の物体側の面と像側の面を示し、Ｒ９、Ｒ１０は、それぞれ第５レンズＬ５の物体側の面と像側の面を示し、Ｒ１１、Ｒ１２は、それぞれ第６レンズＬ６の物体側の面と像側の面を示し、Ｒ１３、Ｒ１４は、それぞれ第７レンズＬ７の物体側の面と像側の面を示す。また、「変曲点位置」欄の対応するデータは、各レンズの表面に設けられた変曲点から撮像光学レンズ１０の光軸までの垂直距離であり、「停留点位置」欄の対応するデータは、各レンズの表面に設けられた停留点から撮像光学レンズ１０の光軸までの垂直距離である。
【００７７】
【表３】
2019109459.tif 000005
【００７８】
【表４】
2019109459.tif 000006
【００７９】
図２、図３は、それぞれ波長４７０ｎｍ、５５５ｎｍ及び６５０ｎｍの光が第１実施形態に係る撮像光学レンズ１０を通った後の球面収差及び倍率色収差を示す図である。図４は、波長５５５ｎｍの光が第１実施形態に係る撮像光学レンズ１０を通った後の像面湾曲及び歪曲収差を示す図であり、図４の像面湾曲Ｓは、サジタル方向の像面湾曲であり、Ｔは、子午方向の像面湾曲である。
【００８０】
後記の表１３には、各実施例１、２、３の諸数値及び関係式で規定されたパラメーターに対応する値を示す。
【００８１】
表１３に示すように、第１実施形態は、各関係式を満たしている。
【００８２】
本実施形態において、前記撮像光学レンズの入射瞳径が１．７６３ｍｍであり、全視野の像高が２．９９４ｍｍであり、対角線方向の画角が７４．８１°である。これにより、広角、極薄となり、軸上、軸外の色収差が十分に補正されて、優れた光学特性を有する。
【００８３】
（第２実施形態）
第２実施形態は、第１実施形態とほぼ同じであり、符号の意味も第１実施形態と同様であるため、異なる点のみを以下に示す。
【００８４】
表５、表６は、本発明の第２実施形態に係る撮像光学レンズ２０の設定データを示す。
【００８５】
【表５】
2019109459.tif 000007
【００８６】
表６は、本発明の第２実施形態に係る撮像光学レンズ２０における各レンズの非球面のデータを示す。
【００８７】
【表６】
2019109459.tif 000008
【００８８】
表７、表８は、本発明の第２実施形態に係る撮像光学レンズ２０における各レンズの変曲点及び停留点の設定データを示す。
【００８９】
【表７】
2019109459.tif 000009
【００９０】
【表８】
2019109459.tif 000010
【００９１】
図６、図７は、それぞれ波長４７０ｎｍ、５５５ｎｍおよび６５０ｎｍの光が第２実施形態に係る撮像光学レンズ２０を通った後の球面収差及び倍率色収差を示す図である。図８は、波長５５５ｎｍの光が第２実施形態に係る撮像光学レンズ２０を通った後の像面湾曲及び歪曲収差を示す図である。
【００９２】
表１３に示すように、第２実施形態は、各関係式を満たしている。
【００９３】
本実施形態において、前記撮像光学レンズの入射瞳径は１．７７８ｍｍであり、全視野の像高は２．９９４ｍｍであり、対角線方向の画角が７４．８３°である。これにより、広角、極薄となり、軸上、軸外の色収差が十分に補正されて、優れた光学特性を有する。
【００９４】
（第３実施形態）
第３実施形態は、第１実施形態とほぼ同じであり、符号の意味も第１実施形態と同様であるため、異なる点のみを以下に示す。
【００９５】
表９、表１０は、本発明の第３実施形態に係る撮像光学レンズ３０の設定データを示す。
【００９６】
【表９】
2019109459.tif 000011
【００９７】
表１０は、本発明の第３実施形態に係る撮像光学レンズ３０における各レンズの非球面のデータを示す。
【００９８】
【表１０】
2019109459.tif 000012
【００９９】
表１１、表１２は、本発明の第３実施形態に係る撮像光学レンズ３０における各レンズの変曲点および停留点の設定データを示す。
【０１００】
【表１１】
2019109459.tif 000013
【０１０１】
【表１２】
2019109459.tif 000014
【０１０２】
図１０、図１１は、それぞれ波長４７０ｎｍ、５５５ｎｍおよび６５０ｎｍの光が第３実施形態に係る撮像光学レンズ３０を通った後の球面収差および倍率色収差を示す図である。図１２は、波長５５５ｎｍの光が第３実施形態に係る撮像光学レンズ３０を通った後の像面湾曲および歪曲収差を示す図である。
【０１０３】
以下の表１３では、上記の関係式ごとに本実施形態における各関係式に対応する数値を挙げており、本実施形態の撮像光学系は、上記の関係式を満たしていることが分かる。
【０１０４】
本実施形態において、前記撮像光学レンズの入射瞳径が１．８００ｍｍであり、全視野の像高が２．９９４ｍｍであり、対角線方向の画角が７４．９６°である。これにより、広角、極薄となり、軸上、軸外の色収差が十分に補正されて、優れた光学特性を有する。
【０１０５】
【表１３】
2019109459.tif 000015
【０１０６】
上記の各実施形態は本発明を実現するための具体的な実施形態であるが、実際の応用において、本発明の主旨及び範囲から逸脱しない範囲での形式及び細部に対する各種の変更は、いずれも本発明の保護範囲に属することは、当業者であれば理解できるはずである。
【図１】
2019109459.tif 000016
【図２】
2019109459.tif 000017
【図３】
2019109459.tif 000018
【図４】
2019109459.tif 000019
【図５】
2019109459.tif 000020
【図６】
2019109459.tif 000021
【図７】
2019109459.tif 000022
【図８】
2019109459.tif 000023
【図９】
2019109459.tif 000024
【図１０】
2019109459.tif 000025
【図１１】
2019109459.tif 000026
【図１２】
2019109459.tif 000027
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
撮像光学レンズであって、
物体側から像側に向かって、順に、負の屈折力を有する第１レンズ、正の屈折力を有する第２レンズ、負の屈折力を有する第３レンズ、負の屈折力を有する第４レンズ、正の屈折力を有する第５レンズ、負の屈折力を有する第６レンズ及び負の屈折力を有する第７レンズから構成され、
前記撮像光学レンズの焦点距離をｆ、前記第１レンズの焦点距離をｆ１、前記第６レンズの焦点距離をｆ６、前記第７レンズの焦点距離をｆ７、前記第１レンズの物体側の面の曲率半径をＲ１、前記第１レンズの像側の面の曲率半径をＲ２、前記第４レンズの屈折率をｎ４、前記第５レンズの屈折率をｎ５にしたときに、以下の関係式を満たすことを特徴とする撮像光学レンズ。
−１０≦ｆ１／ｆ≦−３．１
１．８≦ｆ６／ｆ７≦１０
１．７≦ｎ４≦２．２
１．７≦ｎ５≦２．２
−１０≦（Ｒ１＋Ｒ２）／（Ｒ１−Ｒ２）≦０．８
【請求項２】
前記第１レンズの材質がプラスチックで、前記第２レンズの材質がプラスチックで、前記第３レンズの材質がプラスチックで、前記第４レンズの材質がガラスで、前記第５レンズの材質がガラスで、前記第６レンズの材質がプラスチックで、前記第７レンズの材質がプラスチックであることを特徴とする請求項１に記載の撮像光学レンズ。
【請求項３】
前記撮像光学レンズは以下の関係式を満たすことを特徴とする請求項１に記載の撮像光学レンズ。
−７．９９≦ｆ１／ｆ≦−３．２５１
１．８３≦ｆ６／ｆ７≦９．５
１．７６≦ｎ４≦２．１０
１．７１≦ｎ５≦２．０４
−９．５≦（Ｒ１＋Ｒ２）／（Ｒ１−Ｒ２）≦０．７
【請求項４】
前記第１レンズは、その物体側の面が近軸において凹面に形成され、
前記第１レンズの軸上厚みをｄ１にしたときに、０．１１ｍｍ≦ｄ１≦０．３５ｍｍの関係式を満たすことを特徴とする請求項１に記載の撮像光学レンズ。
【請求項５】
前記撮像光学レンズは以下の関係式を満たすことを特徴とする請求項４に記載の撮像光学レンズ。
０．１８ｍｍ≦ｄ１≦０．２８ｍｍ
【請求項６】
前記第２レンズは、その物体側の面が近軸において凸面に形成され、像側の面が近軸において凸面に形成され、
前記撮像光学レンズの焦点距離をｆ、前記第２レンズの焦点距離をｆ２、前記第２レンズの物体側の面の曲率半径をＲ３、前記第２レンズの像側の面の曲率半径をＲ４、前記第２レンズの軸上厚みをｄ３にしたときに、以下の関係式を満たすことを特徴とする請求項１に記載の撮像光学レンズ。
０．４０≦ｆ２／ｆ≦１．３１
−１．６７≦（Ｒ３＋Ｒ４）／（Ｒ３−Ｒ４）≦−０．４７
０．２７ｍｍ≦ｄ３≦０．９７ｍｍ
【請求項７】
前記撮像光学レンズは以下の関係式を満たすことを特徴とする請求項６に記載の撮像光学レンズ。
０．６４≦ｆ２／ｆ≦１．０５
−１．０４≦（Ｒ３＋Ｒ４）／（Ｒ３−Ｒ４）≦−０．５９
０．４３ｍｍ≦ｄ３≦０．７７ｍｍ
【請求項８】
前記第３レンズは、その像側の面が近軸において凹面に形成され、
前記撮像光学レンズの焦点距離をｆ、前記第３レンズの焦点距離をｆ３、前記第３レンズの物体側の面の曲率半径をＲ５、前記第３レンズの像側の面の曲率半径をＲ６、前記第３レンズの軸上厚みをｄ５にしたときに、以下の関係式を満たすことを特徴とする請求項１に記載の撮像光学レンズ。
−５．０８≦ｆ３／ｆ≦−１．４５
−０．８８≦（Ｒ５＋Ｒ６）／（Ｒ５−Ｒ６）≦２．３７
０．１１ｍｍ≦ｄ５≦０．３３ｍｍ
【請求項９】
前記撮像光学レンズは以下の関係式を満たすことを特徴とする請求項８に記載の撮像光学レンズ。
−３．１８≦ｆ３／ｆ≦−１．８１
−０．５５≦（Ｒ５＋Ｒ６）／（Ｒ５−Ｒ６）≦１．９０
０．１７ｍｍ≦ｄ５≦０．２６ｍｍ
【請求項１０】
前記第４レンズは、その物体側の面が近軸において凹面に形成され、像側の面が近軸において凸面に形成され、
前記撮像光学レンズの焦点距離をｆ、前記第４レンズの焦点距離をｆ４、前記第４レンズの物体側の面の曲率半径をＲ７、前記第４レンズの像側の面の曲率半径をＲ８、前記第４レンズの軸上厚みをｄ７にしたときに、以下の関係式を満たすことを特徴とする請求項１に記載の撮像光学レンズ。
−４１．５２≦ｆ４／ｆ≦−３．３０
−１７．１０≦（Ｒ７＋Ｒ８）／（Ｒ７−Ｒ８）≦−０．８２
０．１３ｍｍ≦ｄ７≦０．６０ｍｍ
【請求項１１】
前記撮像光学レンズは以下の関係式を満たすことを特徴とする請求項１０に記載の撮像光学レンズ。
−２５．９５≦ｆ４／ｆ≦−４．１２
−１０．６８≦（Ｒ７＋Ｒ８）／（Ｒ７−Ｒ８）≦−１．０３
０．２２ｍｍ≦ｄ７≦０．４８ｍｍ
【請求項１２】
前記第５レンズは、その物体側の面が近軸において凹面に形成され、像側の面が近軸において凸面に形成され、
前記撮像光学レンズの焦点距離をｆ、前記第５レンズの焦点距離をｆ５、前記第５レンズの物体側の面の曲率半径をＲ９、前記第５レンズの像側の面の曲率半径をＲ１０、前記第５レンズの軸上厚みをｄ９にしたときに、以下の関係式を満たすことを特徴とする請求項１に記載の撮像光学レンズ。
０．２７≦ｆ５／ｆ≦１．０８
１．２２≦（Ｒ９＋Ｒ１０）／（Ｒ９−Ｒ１０）≦５．９４
０．２３ｍｍ≦ｄ９≦１．０１ｍｍ
【請求項１３】
前記撮像光学レンズは以下の関係式を満たすことを特徴とする請求項１２に記載の撮像光学レンズ。
０．４４≦ｆ５／ｆ≦０．８６
１．９５≦（Ｒ９＋Ｒ１０）／（Ｒ９−Ｒ１０）≦４．７６
０．３７ｍｍ≦ｄ９≦０．８１ｍｍ
【請求項１４】
前記第６レンズは、その物体側の面が近軸において凸面に形成され、像側の面が近軸において凹面に形成され、
前記撮像光学レンズの焦点距離をｆ、前記第６レンズの焦点距離をｆ６、前記第６レンズの物体側の面の曲率半径をＲ１１、前記第６レンズの像側の面の曲率半径をＲ１２、前記第６レンズの軸上厚みをｄ１１にしたときに、以下の関係式を満たすことを特徴とする請求項１に記載の撮像光学レンズ。
−１７．０４≦ｆ６／ｆ≦−１．２２
０．６５≦（Ｒ１１＋Ｒ１２）／（Ｒ１１−Ｒ１２）≦７．８０
０．１６ｍｍ≦ｄ１１≦０．９６ｍｍ
【請求項１５】
前記撮像光学レンズは以下の関係式を満たすことを特徴とする請求項１４に記載の撮像光学レンズ。
−１０．６５≦ｆ６／ｆ≦−１．５２
１．０４≦（Ｒ１１＋Ｒ１２）／（Ｒ１１−Ｒ１２）≦６．２４
０．２６ｍｍ≦ｄ１１≦０．７７ｍｍ
【請求項１６】
前記第７レンズは、その物体側の面が近軸において凸面に形成され、像側の面が近軸において凹面に形成され、
前記撮像光学レンズの焦点距離をｆ、前記第７レンズの焦点距離をｆ７、前記第７レンズの物体側の面の曲率半径をＲ１３、前記第７レンズの像側の面の曲率半径をＲ１４、前記第７レンズの軸上厚みをｄ１３にしたときに、以下の関係式を満たすことを特徴とする請求項１に記載の撮像光学レンズ。
１．２６≦（Ｒ１３＋Ｒ１４）／（Ｒ１３−Ｒ１４）≦４．７３
−１．９８≦ｆ７／ｆ≦−０．６３
０．１１ｍｍ≦ｄ１３≦０．５０ｍｍ
【請求項１７】
前記撮像光学レンズは以下の関係式を満たすことを特徴とする請求項１６に記載の撮像光学レンズ。
２．０１≦（Ｒ１３＋Ｒ１４）／（Ｒ１３−Ｒ１４）≦３．７８
−１．２４≦ｆ７／ｆ≦−０．７９
０．１８ｍｍ≦ｄ１３≦０．４０ｍｍ
【請求項１８】
前記撮像光学レンズの光学全長ＴＴＬが６．０６ｍｍ以下であることを特徴とする請求項１に記載の撮像光学レンズ。
【請求項１９】
前記撮像光学レンズの光学全長ＴＴＬが５．７８ｍｍ以下であることを特徴とする請求項１８に記載の撮像光学レンズ。
【請求項２０】
前記撮像光学レンズの絞りＦ値が２．２７以下であることを特徴とする請求項１に記載の撮像光学レンズ。
【請求項２１】
前記撮像光学レンズの絞りＦ値が２．２２以下であることを特徴とする請求項２０に記載の撮像光学レンズ。
【手続補正２】
【補正対象書類名】明細書
【補正対象項目名】全文
【補正方法】変更
【補正の内容】
【発明の詳細な説明】
【技術分野】
【０００１】
本発明は、光学レンズの分野に関し、特に、スマートフォン、デジタルカメラなどの携帯端末装置、モニター、ＰＣレンズなどの撮像装置に適用される撮像光学レンズに関する。
【背景技術】
【０００２】
近年、スマートフォンの登場に伴い、小型化の撮像レンズに対するニーズがますます高まっているが、撮像レンズの感光素子は、通常、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−ＯｘｉｄｅＳｅｍｉｃｏｎｄｃｔｏｒ  Ｓｅｎｓｏｒ、ＣＭＯＳ  Ｓｅｎｓｏｒ）の２種類程度しかなく、また、半導体製造工程技術の向上により、感光素子の画素サイズが縮小され、さらに、現在の電子製品は、優れた機能および軽量化・薄型化・小型化の外観への要求が高まっているので、良好な結像品質を有する小型化の撮像レンズは、現在の市場において既に主流となっており、優れた結像品質を得るために、携帯電話のカメラに搭載されるレンズは、３枚式又は４枚式のレンズ構造を用いることが多い。また、技術の進化及びユーザの多様化ニーズの増加に伴い、感光素子の画素面積が縮小しつつあり、システムが結像品質に対する要求が高くなってきているなか、５枚式、６枚式、７枚式のレンズ構造も徐々にレンズの設計に現れている。従って、優れた光学特性を有し、極薄で、色収差が十分に補正される広角の撮像レンズに対する要望が高まっている。
【発明の概要】
【発明が解決しようとする課題】
【０００３】
本発明は、上記問題点に鑑みてなされたものであり、高結像性能を得るとともに、極薄化及び広角化の要求を満たすことができる撮像光学レンズを提供することを目的とする。
【課題を解決するための手段】
【０００４】
上記問題を解決するために、本発明の実施形態は、撮像光学レンズを提供する。前記撮像光学レンズは、物体側から像側に向かって、順に、負の屈折力を有する第１レンズ、正の屈折力を有する第２レンズ、負の屈折力を有する第３レンズ、負の屈折力を有する第４レンズ、正の屈折力を有する第５レンズ、負の屈折力を有する第６レンズ及び負の屈折力を有する第７レンズから構成され、前記撮像光学レンズの焦点距離をｆ、前記第１レンズの焦点距離をｆ１、前記第６レンズの焦点距離をｆ６、前記第７レンズの焦点距離をｆ７、前記第１レンズの物体側の面の曲率半径をＲ１、前記第１レンズの像側の面の曲率半径をＲ２、前記第４レンズの屈折率をｎ４、前記第５レンズの屈折率をｎ５にしたときに、以下の関係式を満たす。
−１０≦ｆ１／ｆ≦−３．１
１．８≦ｆ６／ｆ７≦１０
１．７≦ｎ４≦２．２
１．７≦ｎ５≦２．２
−１０≦（Ｒ１＋Ｒ２）／（Ｒ１−Ｒ２）≦０．８
また、前記第１レンズの材質がプラスチックで、前記第２レンズの材質がプラスチックで、前記第３レンズの材質がプラスチックで、前記第４レンズの材質がガラスで、前記第５レンズの材質がガラスで、前記第６レンズの材質がプラスチックで、前記第７レンズの材質がプラスチックであることが好ましい。
【０００５】
従来技術に比べて、本発明の実施形態では、上記のレンズの配置に基づいて、焦点距離、屈折率、撮像光学レンズの光学全長、軸上厚み及び曲率半径のデータで特定の関係を有するレンズの結合により、撮像光学レンズの高結像性能を得ると共に、極薄化及び広角化の要求を満足させることができる。
【０００６】
また、前記撮像光学レンズは以下の関係式を満たすことが好ましい。
−７．９９≦ｆ１／ｆ≦−３．２５１
１．８３≦ｆ６／ｆ７≦９．５
１．７６≦ｎ４≦２．１０
１．７１≦ｎ５≦２．０４
−９．５≦（Ｒ１＋Ｒ２）／（Ｒ１−Ｒ２）≦０．７
【０００７】
また、前記第１レンズは、負の屈折力を有し、その物体側の面が近軸において凹面に形成され、前記第１レンズの軸上厚みをｄ１にしたときに、０．１１ｍｍ≦ｄ１≦０．３５ｍｍの関係式を満たすことが好ましい。
【０００８】
また、前記撮像光学レンズは以下の関係式を満たすことが好ましい。
０．１８ｍｍ≦ｄ１≦０．２８ｍｍ
【０００９】
また、前記第２レンズは、正の屈折力を有し、その物体側の面が近軸において凸面に形成され、像側の面が近軸において凸面に形成され、前記撮像光学レンズの焦点距離をｆ、前記第２レンズの焦点距離をｆ２、前記第２レンズの物体側の面の曲率半径をＲ３、前記第２レンズの像側の面の曲率半径をＲ４、前記第２レンズの軸上厚みをｄ３にしたときに、以下の関係式を満たすことが好ましい。
０．４０≦ｆ２／ｆ≦１．３１
−１．６７≦（Ｒ３＋Ｒ４）／（Ｒ３−Ｒ４）≦−０．４７
０．２７ｍｍ≦ｄ３≦０．９７ｍｍ
【００１０】
また、前記撮像光学レンズは以下の関係式を満たすことが好ましい。
０．６４≦ｆ２／ｆ≦１．０５
−１．０４≦（Ｒ３＋Ｒ４）／（Ｒ３−Ｒ４）≦−０．５９
０．４３ｍｍ≦ｄ３≦０．７７ｍｍ
【００１１】
また、前記第３レンズは、負の屈折力を有し、その像側の面が近軸において凹面に形成され、前記撮像光学レンズの焦点距離をｆ、前記第３レンズの焦点距離をｆ３、前記第３レンズの物体側の面の曲率半径をＲ５、前記第３レンズの像側の面の曲率半径をＲ６、前記第３レンズの軸上厚みをｄ５にしたときに、以下の関係式を満たすことが好ましい。
−５．０８≦ｆ３／ｆ≦−１．４５
−０．８８≦（Ｒ５＋Ｒ６）／（Ｒ５−Ｒ６）≦２．３７
０．１１ｍｍ≦ｄ５≦０．３３ｍｍ
【００１２】
また、前記撮像光学レンズは以下の関係式を満たすことが好ましい。
−３．１８≦ｆ３／ｆ≦−１．８１
−０．５５≦（Ｒ５＋Ｒ６）／（Ｒ５−Ｒ６）≦１．９０
０．１７ｍｍ≦ｄ５≦０．２６ｍｍ
【００１３】
また、前記第４レンズは、負の屈折力を有し、その物体側の面が近軸において凹面に形成され、像側の面が近軸において凸面に形成され、前記撮像光学レンズの焦点距離をｆ、前記第４レンズの焦点距離をｆ４、前記第４レンズの物体側の面の曲率半径をＲ７、前記第４レンズの像側の面の曲率半径をＲ８、前記第４レンズの軸上厚みをｄ７にしたときに、以下の関係式を満たすことが好ましい。
−４１．５２≦ｆ４／ｆ≦−３．３０
−１７．１０≦（Ｒ７＋Ｒ８）／（Ｒ７−Ｒ８）≦−０．８２
０．１３ｍｍ≦ｄ７≦０．６０ｍｍ
【００１４】
また、前記撮像光学レンズは以下の関係式を満たすことが好ましい。
−２５．９５≦ｆ４／ｆ≦−４．１２
−１０．６８≦（Ｒ７＋Ｒ８）／（Ｒ７−Ｒ８）≦−１．０３
０．２２ｍｍ≦ｄ７≦０．４８ｍｍ
【００１５】
また、前記第５レンズは、正の屈折力を有し、その物体側の面が近軸において凹面に形成され、像側の面が近軸において凸面に形成され、前記撮像光学レンズの焦点距離をｆ、前記第５レンズの焦点距離をｆ５、前記第５レンズの物体側の面の曲率半径をＲ９、前記第５レンズの像側の面の曲率半径をＲ１０、前記第５レンズの軸上厚みをｄ９にしたときに、以下の関係式を満たすことが好ましい。
０．２７≦ｆ５／ｆ≦１．０８
１．２２≦（Ｒ９＋Ｒ１０）／（Ｒ９−Ｒ１０）≦５．９４
０．２３ｍｍ≦ｄ９≦１．０１ｍｍ
【００１６】
また、前記撮像光学レンズは以下の関係式を満たすことが好ましい。
０．４４≦ｆ５／ｆ≦０．８６
１．９５≦（Ｒ９＋Ｒ１０）／（Ｒ９−Ｒ１０）≦４．７６
０．３７ｍｍ≦ｄ９≦０．８１ｍｍ
【００１７】
また、前記第６レンズは、負の屈折力を有し、その物体側の面が近軸において凸面に形成され、像側の面が近軸において凹面に形成され、前記撮像光学レンズの焦点距離をｆ、前記第６レンズの焦点距離をｆ６、前記第６レンズの物体側の面の曲率半径をＲ１１、前記第６レンズの像側の面の曲率半径をＲ１２、前記第６レンズの軸上厚みをｄ１１にしたときに、以下の関係式を満たすことが好ましい。
−１７．０４≦ｆ６／ｆ≦−１．２２
０．６５≦（Ｒ１１＋Ｒ１２）／（Ｒ１１−Ｒ１２）≦７．８０
０．１６ｍｍ≦ｄ１１≦０．９６ｍｍ
【００１８】
また、前記撮像光学レンズは以下の関係式を満たすことが好ましい。
−１０．６５≦ｆ６／ｆ≦−１．５２
１．０４≦（Ｒ１１＋Ｒ１２）／（Ｒ１１−Ｒ１２）≦６．２４
０．２６ｍｍ≦ｄ１１≦０．７７ｍｍ
【００１９】
また、前記第７レンズは、負の屈折力を有し、その物体側の面が近軸において凸面に形成され、像側の面が近軸において凹面に形成され、前記撮像光学レンズの焦点距離をｆ、前記第７レンズの焦点距離をｆ７、前記第７レンズの物体側の面の曲率半径をＲ１３、前記第７レンズの像側の面の曲率半径をＲ１４、前記第７レンズの軸上厚みをｄ１３にしたときに、以下の関係式を満たすことが好ましい。
１．２６≦（Ｒ１３＋Ｒ１４）／（Ｒ１３−Ｒ１４）≦４．７３
−１．９８≦ｆ７／ｆ≦−０．６３
０．１１ｍｍ≦ｄ１３≦０．５０ｍｍ
【００２０】
また、前記撮像光学レンズは以下の関係式を満たすことが好ましい。
２．０１≦（Ｒ１３＋Ｒ１４）／（Ｒ１３−Ｒ１４）≦３．７８
−１．２４≦ｆ７／ｆ≦−０．７９
０．１８ｍｍ≦ｄ１３≦０．４０ｍｍ
【００２１】
また、前記撮像光学レンズの光学全長ＴＴＬが６．０６ｍｍ以下であることが好ましい。
【００２２】
また、前記撮像光学レンズの光学全長ＴＴＬが５．７８ｍｍ以下であることが好ましい。
【００２３】
また、前記撮像光学レンズの絞りＦ値が２．２７以下であることが好ましい。
【００２４】
また、前記撮像光学レンズの絞りＦ値が２．２２以下であることが好ましい。
【発明の効果】
【００２５】
本発明によれば、撮像光学レンズは、優れた光学特性を有し、極薄で広角であり、色収差が十分に補正される。本発明の撮像光学レンズは、特に高画素用のＣＣＤ、ＣＭＯＳなどの撮像素子から構成される携帯電話の撮像レンズ部品とＷＥＢ撮像レンズに適用することができる。
【図面の簡単な説明】
【００２６】
【図１】図１は、本発明の第１実施形態に係る撮像光学レンズの構造を示す図である。
【図２】図２は、図１に示す撮像光学レンズの球面収差を示す図である。
【図３】図３は、図１に示す撮像光学レンズの倍率色収差を示す図である。
【図４】図４は、図１に示す撮像光学レンズの像面湾曲及び歪曲収差を示す図である。
【図５】図５は、本発明の第２実施形態に係る撮像光学レンズの構造を示す図である。
【図６】図６は、図５に示す撮像光学レンズの球面収差を示す図である。
【図７】図７は、図５に示す撮像光学レンズの倍率色収差を示す図である。
【図８】図８は、図５に示す撮像光学レンズの像面湾曲及び歪曲収差を示す図である。
【図９】図９は、本発明の第３実施形態に係る撮像光学レンズの構造を示す図である。
【図１０】図１０は、図９に示す撮像光学レンズの球面収差を示す図である。
【図１１】図１１は、図９に示す撮像光学レンズの倍率色収差を示す図である。
【図１２】図１２は、図９に示す撮像光学レンズの像面湾曲および歪曲収差を示す図である。
【発明を実施するための形態】
【００２７】
本発明の目的、技術方案及び利点をより明確にするために、以下に、図面を参照しながら本発明の各実施形態を詳しく説明する。
ただ、本発明の各実施形態において、本発明に対する理解を便宜にするために、多くの技術的細部まで記載されているが、これらの技術的細部および以下の各実施形態に基づく各種の変化及び修正がなくても、本発明が保護しようとする技術方案を実現可能であることは、当業者にとっては自明なことである。
【００２８】
（第１実施形態）
図面を参照すれば分かるように、本発明は、撮像光学レンズ１０を提供する。図１には、本発明の第１実施形態の撮像光学レンズ１０を示しており、該撮像光学レンズ１０は、７枚のレンズを備えており、具体的には、前記撮像光学レンズ１０は、物体側から像側に向かって、順に、絞りＳ１、第１レンズＬ１、第２レンズＬ２、第３レンズＬ３、第４レンズＬ４、第５レンズＬ５、第６レンズＬ６及び第７レンズＬ７を備える。また、第７レンズＬ７と像面Ｓｉとの間には、光学フィルターＧＦなどの光学素子が設けられてもよい。
【００２９】
第１レンズＬ１の材質がプラスチックで、第２レンズＬ２の材質がプラスチックで、第３レンズＬ３の材質がプラスチックで、第４レンズＬ４の材質がガラスで、第５レンズＬ５の材質がガラスで、第６レンズＬ６の材質がプラスチックで、第７レンズＬ７の材質がプラスチックである。
【００３０】
ここで、撮像光学レンズ１０全体の焦点距離をｆ、前記第１レンズの焦点距離をｆ１にしたときに、−１０≦ｆ１／ｆ≦−３．１の関係式が設立され、第１レンズＬ１の負の屈折力が規定される。上限の規定値を超えると、レンズの極薄化には有利であるが、第１レンズＬ１の負の屈折力が強すぎてしまい、収差の補正が難しくなるなどの問題があるとともに、レンズの広角化も不利になる。これとは逆に、下限の規定値を超えると、第１レンズの負の屈折力が弱すぎてしまい、レンズの極薄化が難しくなる。また、−７．９９≦ｆ１／ｆ≦−３．２５１であることが好ましい。
【００３１】
前記第６レンズの焦点距離をｆ６、前記第７レンズの焦点距離をｆ７にしたときに、１．８≦ｆ６／ｆ７≦１０の関係式が設立され、第６レンズＬ６の焦点距離ｆ６と第７レンズＬ７の焦点距離ｆ７の比が規定される。これにより、撮像用光学レンズ群の感度を効率良く低減して、結像品質を更に向上させることができる。また、１．８３≦ｆ６／ｆ７≦９．５であることが好ましい。
【００３２】
また、前記第４レンズＬ４の屈折率をｎ４にしたときに、１．７≦ｎ４≦２．２の関係式が設立され、第４レンズＬ４の屈折率が規定される。この範囲に設定することで、レンズの極薄化に一層有利であると共に、収差の補正にも有利である。また、１．７６≦ｎ４≦２．１０であることが好ましい。
【００３３】
また、前記第５レンズの屈折率をｎ５にしたときに、１．７≦ｎ５≦２．２の関係式が設立され、第５レンズＬ５の屈折率が規定される。この範囲に設定することで、レンズの極薄化に一層有利であると共に、収差の補正にも有利である。また、１．７１≦ｎ５≦２．０４であることが好ましい。
【００３４】
前記第１レンズの物体側の面の曲率半径をＲ１、前記第１レンズの像側の面の曲率半径をＲ２にしたときに、−１０≦（Ｒ１＋Ｒ２）／（Ｒ１−Ｒ２）≦０．８の関係式が設立され、第１レンズＬ１の形状が規定される。上記の範囲以外であると、極薄・広角化が進むに従って、軸外画角の収差の補正が難しくなるなどの問題がある。また、−９．５≦（Ｒ１＋Ｒ２）／（Ｒ１−Ｒ２）≦０．７であることが好ましい。
【００３５】
本発明の前記撮像光学レンズ１０の焦点距離、各レンズの焦点距離、関連レンズの屈折率、撮像光学レンズの光学全長、軸上厚み及び曲率半径が上記の関係式を満たすことで、撮像光学レンズ１０の高性能、低ＴＴＬを実現することができる。
【００３６】
本実施形態において、第１レンズＬ１は、その物体側の面が近軸において凹面に形成され、負の屈折力を有する。
【００３７】
第１レンズＬ１の軸上厚みをｄ１にしたときに、０．１１ｍｍ≦ｄ１≦０．３５ｍｍの関係式が設立され、極薄化の実現に有利である。また、０．１８ｍｍ≦ｄ１≦０．２８ｍｍであることが好ましい。
【００３８】
また、本実施形態において、第２レンズＬ２は、その物体側の面が近軸において凸面に形成され、像側の面が近軸において凸面に形成され、正の屈折力を有する。
【００３９】
撮像光学レンズ１０全体の焦点距離をｆ、第２レンズＬ２の焦点距離をｆ２にしたときに、０．４０≦ｆ２／ｆ≦１．３１の関係式が設立され、第２レンズＬ２の正の屈折力を適切な範囲に制御することにより、負の屈折力を有する第１レンズＬ１により生じた球面収差とシステムの像面湾曲量とのバランスを適切且つ効率良く取ることができる。また、０．６４≦ｆ２／ｆ≦１．０５であることが好ましい。
【００４０】
また、第２レンズＬ２の物体側の面の曲率半径をＲ３、第２レンズＬ２の像側の面の曲率半径をＲ４にしたときに、−１．６７≦（Ｒ３＋Ｒ４）／（Ｒ３−Ｒ４）≦−０．４７の関係式が設立され、第２レンズＬ２の形状が規定される。上記の範囲以外であると、レンズの極薄・広角化が進むに従って、軸上色収差の補正が難しくなる問題がある。また、−１．０４≦（Ｒ３＋Ｒ４）／（Ｒ３−Ｒ４）≦−０．５９であることが好ましい。
【００４１】
また、第２レンズＬ２の軸上厚みをｄ３にしたときに、０．２７ｍｍ≦ｄ３≦０．９７ｍｍの関係式が設立され、極薄化の実現に有利である。また、０．４３ｍｍ≦ｄ３≦０．７７ｍｍであることが好ましい。
【００４２】
本実施形態において、第３レンズＬ３は、その像側の面が近軸において凹面に形成され、負の屈折力を有する。
【００４３】
撮像光学レンズ１０全体の焦点距離をｆ、第３レンズＬ３の焦点距離をｆ３にしたときに、−５．０８≦ｆ３／ｆ≦−１．４５の関係式が設立され、システムとして、優れた像面湾曲の均衡化能力を有し、結像品質を効率良く向上させることができる。また、−３．１８≦ｆ３／ｆ≦−１．８１であることが好ましい。
【００４４】
また、第３レンズＬ３の物体側の面の曲率半径をＲ５、第３レンズＬ３の像側の面の曲率半径をＲ６にしたときに、−０．８８≦（Ｒ５＋Ｒ６）／（Ｒ５−Ｒ６）≦２．３７の関係式が設立される。これにより、第３レンズＬ３の形状を効率的に制御することができて、第３レンズＬ３の成型に有利であると共に、第３レンズＬ３の表面の曲率が大きすぎることによる成型不良及び応力の生成を回避することができる。また、−０．５５≦（Ｒ５＋Ｒ６）／（Ｒ５−Ｒ６）≦１．９０であることが好ましい。
【００４５】
また、第３レンズＬ３の軸上厚みをｄ５にしたときに、０．１１ｍｍ≦ｄ５≦０．３３ｍｍの関係式が設立され、極薄化の実現に有利である。また、０．１７ｍｍ≦ｄ５≦０．２６ｍｍであることが好ましい。
【００４６】
本実施形態において、第４レンズＬ４は、その物体側の面が近軸において凹面に形成され、像側の面が近軸において凸面に形成され、負の屈折力を有する。
【００４７】
撮像光学レンズ１０全体の焦点距離をｆ、第４レンズＬ４の焦点距離をｆ４にしたときに、−４１．５２≦ｆ４／ｆ≦−３．３０の関係式が設立され、屈折力の配分を適切にすることにより、システムとして、優れた結像品質及び低い感度を有する。また、−２５．９５≦ｆ４／ｆ≦−４．１２であることが好ましい。
【００４８】
また、第４レンズＬ４の物体側の面の曲率半径をＲ７、第４レンズＬ４の像側の面の曲率半径をＲ８にしたときに、−１７．１０≦（Ｒ７＋Ｒ８）／（Ｒ７−Ｒ８）≦−０．８２の関係式が設立され、第４レンズＬ４の形状が規定される。上記の範囲以外であると、極薄・広角化が進むに従って、軸外画角の収差の補正が難しくなるなどの問題がある。また、−１０．６８≦（Ｒ７＋Ｒ８）／（Ｒ７−Ｒ８）≦−１．０３であることが好ましい。
【００４９】
また、第４レンズＬ４の軸上厚みをｄ７にしたときに、０．１３ｍｍ≦ｄ７≦０．６０ｍｍの関係式が設立され、極薄化の実現に有利である。また、０．２２ｍｍ≦ｄ７≦０．４８ｍｍであることが好ましい。
【００５０】
本実施形態において、第５レンズＬ５は、その物体側の面が近軸において凹面に形成され、像側の面が近軸において凸面に形成され、正の屈折力を有する。
【００５１】
撮像光学レンズ１０全体の焦点距離をｆ、第５レンズＬ５の焦点距離をｆ５にしたときに、０．２７≦ｆ５／ｆ≦１．０８の関係式が設立される。このように第５レンズＬ５に対して限定することにより、撮像レンズの光線角度を緩やかにして、公差感度を低減することができる。また、０．４４≦ｆ５／ｆ≦０．８６であることが好ましい。
【００５２】
また、第５レンズＬ５の物体側の面の曲率半径をＲ９、第５レンズＬ５の像側の面の曲率半径をＲ１０にしたときに、１．２２≦（Ｒ９＋Ｒ１０）／（Ｒ９−Ｒ１０）≦５．９４の関係式が設立され、第５レンズＬ５の形状が規定される。上記の範囲以外であると、極薄・広角化が進むに従って、軸外画角の収差の補正が難しくなるなどの問題がある。また、１．９５≦（Ｒ９＋Ｒ１０）／（Ｒ９−Ｒ１０）≦４．７６であることが好ましい。
【００５３】
また、第５レンズＬ５の軸上厚みをｄ９にしたときに、０．２３ｍｍ≦ｄ９≦１．０１ｍｍの関係式が設立され、極薄化の実現に有利である。また、０．３７ｍｍ≦ｄ９≦０．８１ｍｍであることが好ましい。
【００５４】
本実施形態において、第６レンズＬ６は、その物体側の面が近軸において凸面に形成され、像側の面が近軸において凹面に形成され、負の屈折力を有する。
【００５５】
撮像光学レンズ１０全体の焦点距離をｆ、第６レンズＬ６の焦点距離をｆ６にしたときに、−１７．０４≦ｆ６／ｆ≦−１．２２の関係式が設立され、屈折力の配分を適切にすることにより、システムとして、優れた結像品質及び低い感度を有する。また、−１０．６５≦ｆ６／ｆ≦−１．５２であることが好ましい。
【００５６】
また、第６レンズＬ６の物体側の面の曲率半径をＲ１１、第６レンズＬ６の像側の面の曲率半径をＲ１２にしたときに、０．６５≦（Ｒ１１＋Ｒ１２）／（Ｒ１１−Ｒ１２）≦７．８０の関係式が設立され、第６レンズＬ６の形状が規定される。上記の範囲以外であると、極薄・広角化が進むに従って、軸外画角の収差の補正が難しくなるなどの問題がある。また、１．０４≦（Ｒ１１＋Ｒ１２）／（Ｒ１１−Ｒ１２）≦６．２４であることが好ましい。
【００５７】
また、第６レンズＬ６の軸上厚みをｄ１１にしたときに、０．１６ｍｍ≦ｄ１１≦０．９６ｍｍの関係式が設立され、極薄化の実現に有利である。また、０．２６ｍｍ≦ｄ１１≦０．７７ｍｍであることが好ましい。
【００５８】
本実施形態において、第７レンズＬ７は、その物体側の面が近軸において凸面に形成され、像側の面が近軸において凹面に形成され、負の屈折力を有する。
【００５９】
撮像光学レンズ１０全体の焦点距離をｆ、第７レンズＬ７の焦点距離をｆ７にしたときに、−１．９８≦ｆ７／ｆ≦−０．６３の関係式が設立され、屈折力の配分を適切にすることにより、システムとして、優れた結像品質及び低い感度を有する。また、−１．２４≦ｆ７／ｆ≦−０．７９であることが好ましい。
【００６０】
また、前記第７レンズＬ７の物体側の面の曲率半径をＲ１３、前記第７レンズの像側の面の曲率半径をＲ１４にしたときに、１．２６≦（Ｒ１３＋Ｒ１４）／（Ｒ１３−Ｒ１４）≦４．７３の関係式が設立され、第７レンズＬ７の形状が規定される。上記の範囲以外であると、極薄・広角化が進むに従って、軸外画角の収差の補正が難しくなるなどの問題がある。また、２．０１≦（Ｒ１３＋Ｒ１４）／（Ｒ１３−Ｒ１４）≦３．７８であることが好ましい。
【００６１】
また、第７レンズＬ７の軸上厚みをｄ１３にしたときに、０．１１ｍｍ≦ｄ１３≦０．５０ｍｍの関係式が設立され、極薄化の実現に有利である。また、０．１８ｍｍ≦ｄ１３≦０．４０ｍｍであることが好ましい。
【００６２】
本実施形態において、撮像光学レンズ１０の光学全長ＴＴＬを６．０６ｍｍ以下にすることにより、極薄化の実現に有利である。また、撮像光学レンズ１０の光学全長ＴＴＬは、５．７８ｍｍ以下であることが好ましい。
【００６３】
本実施形態において、撮像光学レンズ１０の絞りＦ値は、２．２７以下である。絞りが大きいほど、結像性能が優れる。また、撮像光学レンズ１０の絞りＦ値は、２．２２以下であることが好ましい。
【００６４】
このようにすることで、撮像光学レンズ１０全体の光学全長ＴＴＬをできる限り短縮して、小型化の特性を維持することができる。
【００６５】
以下、実施例を用いて、本発明に係る撮像光学レンズ１０について説明する。各実施例に記載の符号は以下の通りであり、距離、半径及び中心厚の単位は、ｍｍである。
【００６６】
ＴＴＬ：光学全長（第１レンズＬ１の物体側の面から結像面までの軸上距離）
【００６７】
好ましくは、高品質な結像性能を得られるように、前記レンズの物体側の面及び／又は像側の面に、変曲点及び／又は停留点がさらに設けられていてもよい。具体的な実施方案については、後述する。
【００６８】
以下では、本発明の第１実施形態に係る撮像光学レンズ１０の設定データを示しており、焦点距離、距離、半径及び中心厚の単位はｍｍである。
【００６９】
表１、表２は、本発明の第１実施形態に係る撮像光学レンズ１０の設定データを示す。
【００７０】
【表１】
2019109459.tif 000028
【００７１】
ここで、各符号の意味は、以下の通りである。
Ｓ１    ：絞り
Ｒ      ：光学面の曲率半径、レンズの場合は中心曲率半径
Ｒ１    ：第１レンズＬ１の物体側の面の曲率半径
Ｒ２    ：第１レンズＬ１の像側の面の曲率半径
Ｒ３    ：第２レンズＬ２の物体側の面の曲率半径
Ｒ４    ：第２レンズＬ２の像側の面の曲率半径
Ｒ５    ：第３レンズＬ３の物体側の面の曲率半径
Ｒ６    ：第３レンズＬ３の像側の面の曲率半径
Ｒ７    ：第４レンズＬ４の物体側の面の曲率半径
Ｒ８    ：第４レンズＬ４の像側の面の曲率半径
Ｒ９    ：第５レンズＬ５の物体側の面の曲率半径
Ｒ１０  ：第５レンズＬ５の像側の面の曲率半径
Ｒ１１  ：第６レンズＬ６の物体側の面の曲率半径
Ｒ１２  ：第６レンズＬ６の像側の面の曲率半径
Ｒ１３  ：第７レンズＬ７の物体側の面の曲率半径
Ｒ１４  ：第７レンズＬ７の像側の面の曲率半径
Ｒ１５  ：光学フィルターＧＦの物体側の面の曲率半径
Ｒ１６  ：光学フィルターＧＦの像側の面の曲率半径
ｄ      ：レンズの軸上厚み、又は、レンズ間の軸上距離
ｄ０    ：絞りＳ１から第１レンズＬ１の物体側の面までの軸上距離
ｄ１    ：第１レンズＬ１の軸上厚み
ｄ２    ：第１レンズＬ１の像側の面から第２レンズＬ２の物体側の面までの軸上距離
ｄ３    ：第２レンズＬ２の軸上厚み
ｄ４    ：第２レンズＬ２の像側の面から第３レンズＬ３の物体側の面までの軸上距離
ｄ５    ：第３レンズＬ３の軸上厚み
ｄ６    ：第３レンズＬ３の像側の面から第４レンズＬ４の物体側の面までの軸上距離
ｄ７    ：第４レンズＬ４の軸上厚み
ｄ８    ：第４レンズＬ４の像側の面から第５レンズＬ５の物体側の面までの軸上距離
ｄ９    ：第５レンズＬ５の軸上厚み
ｄ１０  ：第５レンズＬ５の像側の面から第６レンズＬ６の物体側の面までの軸上距離
ｄ１１  ：第６レンズＬ６の軸上厚み
ｄ１２  ：第６レンズＬ６の像側の面から第７レンズＬ７の物体側の面までの軸上距離
ｄ１３  ：第７レンズＬ７の軸上厚み
ｄ１４  ：第７レンズＬ７の像側の面から光学フィルターＧＦの物体側の面までの軸上距離
ｄ１５  ：光学フィルターＧＦの軸上厚み
ｄ１６  ：光学フィルターＧＦの像側の面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄ７  ：第７レンズＬ７のｄ線の屈折率
ｎｄｇ  ：光学フィルターＧＦのｄ線の屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖ６    ：第６レンズＬ６のアッベ数
ｖ７    ：第７レンズＬ７のアッベ数
ｖｇ    ：光学フィルターＧＦのアッベ数
【００７２】
表２は、本発明の第１実施形態に係る撮像光学レンズ１０における各レンズの非球面のデータを示す。
【００７３】
【表２】
2019109459.tif 000029
【００７４】
ここで、ｋは円錐係数であり、Ａ４、Ａ６、Ａ８、Ａ１０、Ａ１２、Ａ１４、Ａ１６は非球面係数である。
ＩＨ：像高
ｙ＝（ｘ２／Ｒ）／［１＋｛１−（ｋ＋１）（ｘ２／Ｒ２）｝１／２］
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６        式（１）
【００７５】
各レンズ面の非球面は、便宜上、上記式（１）で表される非球面を使用しているが、本発明は、この式（１）の非球面多項式に限定されるものではない。
【００７６】
表３、表４は、本発明の第１実施形態に係る撮像光学レンズ１０における各レンズの変曲点及び停留点の設定データを示す。ここで、Ｒ１、Ｒ２は、それぞれ第１レンズＬ１の物体側の面と像側の面を示し、Ｒ３、Ｒ４は、それぞれ第２レンズＬ２の物体側の面と像側の面を示し、Ｒ５、Ｒ６は、それぞれ第３レンズＬ３の物体側の面と像側の面を示し、Ｒ７、Ｒ８は、それぞれ第４レンズＬ４の物体側の面と像側の面を示し、Ｒ９、Ｒ１０は、それぞれ第５レンズＬ５の物体側の面と像側の面を示し、Ｒ１１、Ｒ１２は、それぞれ第６レンズＬ６の物体側の面と像側の面を示し、Ｒ１３、Ｒ１４は、それぞれ第７レンズＬ７の物体側の面と像側の面を示す。また、「変曲点位置」欄の対応するデータは、各レンズの表面に設けられた変曲点から撮像光学レンズ１０の光軸までの垂直距離であり、「停留点位置」欄の対応するデータは、各レンズの表面に設けられた停留点から撮像光学レンズ１０の光軸までの垂直距離である。
【００７７】
【表３】
2019109459.tif 000030
【００７８】
【表４】
2019109459.tif 000031
【００７９】
図２、図３は、それぞれ波長４７０ｎｍ、５５５ｎｍ及び６５０ｎｍの光が第１実施形態に係る撮像光学レンズ１０を通った後の球面収差及び倍率色収差を示す図である。図４は、波長５５５ｎｍの光が第１実施形態に係る撮像光学レンズ１０を通った後の像面湾曲及び歪曲収差を示す図であり、図４の像面湾曲Ｓは、サジタル方向の像面湾曲であり、Ｔは、子午方向の像面湾曲である。
【００８０】
後記の表１３には、各実施例１、２、３の諸数値及び関係式で規定されたパラメーターに対応する値を示す。
【００８１】
表１３に示すように、第１実施形態は、各関係式を満たしている。
【００８２】
本実施形態において、前記撮像光学レンズの入射瞳径が１．７６３ｍｍであり、全視野の像高が２．９９４ｍｍであり、対角線方向の画角が７４．８１°である。これにより、広角、極薄となり、軸上、軸外の色収差が十分に補正されて、優れた光学特性を有する。
【００８３】
（第２実施形態）
第２実施形態は、第１実施形態とほぼ同じであり、符号の意味も第１実施形態と同様であるため、異なる点のみを以下に示す。
【００８４】
表５、表６は、本発明の第２実施形態に係る撮像光学レンズ２０の設定データを示す。
【００８５】
【表５】
2019109459.tif 000032
【００８６】
表６は、本発明の第２実施形態に係る撮像光学レンズ２０における各レンズの非球面のデータを示す。
【００８７】
【表６】
2019109459.tif 000033
【００８８】
表７、表８は、本発明の第２実施形態に係る撮像光学レンズ２０における各レンズの変曲点及び停留点の設定データを示す。
【００８９】
【表７】
2019109459.tif 000034
【００９０】
【表８】
2019109459.tif 000035
【００９１】
図６、図７は、それぞれ波長４７０ｎｍ、５５５ｎｍおよび６５０ｎｍの光が第２実施形態に係る撮像光学レンズ２０を通った後の球面収差及び倍率色収差を示す図である。図８は、波長５５５ｎｍの光が第２実施形態に係る撮像光学レンズ２０を通った後の像面湾曲及び歪曲収差を示す図である。
【００９２】
表１３に示すように、第２実施形態は、各関係式を満たしている。
【００９３】
本実施形態において、前記撮像光学レンズの入射瞳径は１．７７８ｍｍであり、全視野の像高は２．９９４ｍｍであり、対角線方向の画角が７４．８３°である。これにより、広角、極薄となり、軸上、軸外の色収差が十分に補正されて、優れた光学特性を有する。
【００９４】
（第３実施形態）
第３実施形態は、第１実施形態とほぼ同じであり、符号の意味も第１実施形態と同様であるため、異なる点のみを以下に示す。
【００９５】
表９、表１０は、本発明の第３実施形態に係る撮像光学レンズ３０の設定データを示す。
【００９６】
【表９】
2019109459.tif 000036
【００９７】
表１０は、本発明の第３実施形態に係る撮像光学レンズ３０における各レンズの非球面のデータを示す。
【００９８】
【表１０】
2019109459.tif 000037
【００９９】
表１１、表１２は、本発明の第３実施形態に係る撮像光学レンズ３０における各レンズの変曲点および停留点の設定データを示す。
【０１００】
【表１１】
2019109459.tif 000038
【０１０１】
【表１２】
2019109459.tif 000039
【０１０２】
図１０、図１１は、それぞれ波長４７０ｎｍ、５５５ｎｍおよび６５０ｎｍの光が第３実施形態に係る撮像光学レンズ３０を通った後の球面収差および倍率色収差を示す図である。図１２は、波長５５５ｎｍの光が第３実施形態に係る撮像光学レンズ３０を通った後の像面湾曲および歪曲収差を示す図である。
【０１０３】
以下の表１３では、上記の関係式ごとに本実施形態における各関係式に対応する数値を挙げており、本実施形態の撮像光学系は、上記の関係式を満たしていることが分かる。
【０１０４】
本実施形態において、前記撮像光学レンズの入射瞳径が１．８００ｍｍであり、全視野の像高が２．９９４ｍｍであり、対角線方向の画角が７４．９６°である。これにより、広角、極薄となり、軸上、軸外の色収差が十分に補正されて、優れた光学特性を有する。
【０１０５】
【表１３】
2019109459.tif 000040
【０１０６】
上記の各実施形態は本発明を実現するための具体的な実施形態であるが、実際の応用において、本発明の主旨及び範囲から逸脱しない範囲での形式及び細部に対する各種の変更は、いずれも本発明の保護範囲に属することは、当業者であれば理解できるはずである。